(57)【要約】【課題】  畝からシートを剥ぎ上げるときに該シートの幅方向略中央部に弛みが生じることを防止することができるようにする。【解決手段】  本発明のシート回収装置１は、畝Ｕに沿って走行可能に支持された芋類収穫機２に搭載され、該畝Ｕに張られたマルチフィルムＳを剥ぎ上げるために、畝上方において畝幅方向に延びる軸２１を中心に回転自在に支持されたシート送りローラ２２と、該シート送りローラ２２の上側を経由したマルチフィルムＳを引き込んで回収するシート回収部２５とを備え、芋類収穫機２により畝Ｕに沿って進行しながら、マルチフィルムＳの一端側から該マルチフィルムＳを順次回収するように構成されている。シート送りローラ２２は、幅方向の両端部２２ｂの径よりも幅方向の略中央部２２ａの径が相対的に大きくなるように形成されている。【選択図】      図２
2006158256.tif 000002
【特許請求の範囲】
【請求項１】
畝に沿って走行可能に支持された作業機に搭載され、
該畝に張られたシートを剥ぎ上げるために、畝上方において畝幅方向に延びる軸を中心に回転自在に支持されたシート送りローラと、
該シート送りローラの上側を経由した前記シートを引き込んで回収するシート回収部と
を備え、
前記作業機により前記畝に沿って進行しながら、前記シートの一端側から該シートを順次回収するように構成されたシート回収装置であって、
前記シート送りローラは、幅方向の両端部の径よりも幅方向の略中央部の径が相対的に大きくなるように形成されたシート回収装置。
【請求項２】
前記シート送りローラは、算盤の珠状に形成された請求項１記載のシート回収装置。
【請求項３】
前記シート送りローラは、前記幅方向に延びる円柱部と、該円柱部における前記幅方向の略中央部に突設されたフランジ部とにより形成された請求項１記載のシート回収装置。
【請求項４】
前記シート送りローラは、球状に形成された請求項１記載のシート回収装置。
【発明の詳細な説明】
【技術分野】
【０００１】
本発明は、畝に張られた農業用のシート類を回収するシート回収装置に関するものである。
【背景技術】
【０００２】
従来のシート回収装置として、特許文献１に記載されたマルチフィルムの剥ぎ取り回収装置８０を例示する。この回収装置８０は、図４及び図５に示すように、マルチフィルムＳを巻き取って回収する巻取ドラム８１を有するとともに、該巻取ドラム８１の前方かつ斜め上方に案内ローラ８２を有している。そして、マルチフィルムＳは、案内ローラ８２の上側を経由されることにより、畝上方に引き上げられてから、巻取ドラム８１に回収されるようになっている。
【０００３】
【特許文献１】特開２００４−５７０２４号公報
【発明の開示】
【発明が解決しようとする課題】
【０００４】
ところが、甘藷、ジャガイモ、里芋、タバコ等の栽培に用いられているカマボコ型形状の畝Ｕに敷設されたマルチフィルムＳを上方に引き上げて回収する場合は、その畝形状の関係から、マルチフィルムＳの幅方向略中央部Ｓａと、同幅方向両端部Ｓｂとでは、案内ローラ８２までの距離が相違している。このため、マルチフィルムＳの回収中、畝上面から案内ローラ８２までの間では、マルチフィルムＳの幅方向略中央部Ｓａに弛みＲが生じる。これにより、マルチフィルムＳの幅方向略中央部Ｓａの弛みＲに畝から掬い上げられた土が溜まって回収作業の妨げになったり、該土がマルチフィルムＳとともに巻取ドラム８１に回収されたりするという課題がある。
【課題を解決するための手段】
【０００５】
上記課題を解決するために、本発明のシート回収装置は、
畝に沿って走行可能に支持された作業機に搭載され、
該畝に張られたシートを剥ぎ上げるために、畝上方において畝幅方向に延びる軸を中心に回転自在に支持されたシート送りローラと、
該シート送りローラの上側を経由した前記シートを引き込んで回収するシート回収部と
を備え、
前記作業機により前記畝に沿って進行しながら、前記シートの一端側から該シートを順次回収するように構成されたシート回収装置であって、
前記シート送りローラは、幅方向の両端部の径よりも幅方向の略中央部の径が相対的に大きくなるように形成されている。
【０００６】
この構成によれば、前記シート送りローラは、幅方向の両端部の径よりも幅方向の略中央部の径が相対的に大きくなるように形成されているので、畝からシートを剥ぎ上げるときに該シートの幅方向略中央部に弛みが生じることを防止することができる。このため、該弛みによる不具合の発生を抑制することができ、スムーズな回収作業を行うことができる。
【０００７】
前記シート送りローラとしては、特に限定されないが、次の態様を例示する。
（１）算盤の珠状に形成された態様。
（２）前記幅方向に延びる円柱部と、該円柱部における前記幅方向の略中央部に突設されたフランジ部とにより形成された態様。
（３）球状（楕球状を含む）に形成された態様。
【発明の効果】
【０００８】
本発明に係るシート回収装置によれば、畝からシートを剥ぎ上げるときに該シートの幅方向略中央部に弛みが生じることを防止することができるという優れた効果を奏する。
【発明を実施するための最良の形態】
【０００９】
図１〜図３は本発明を具体化した一実施形態のシート回収装置１を示している。本例のシート回収装置１は、図１及び図２に示すように、畝Ｕに沿って走行可能に構成された作業機としての芋類収穫機２の前側に搭載されており、芋類収穫機２により畝Ｕに沿って、シートとしてのマルチフィルムＳの一端側から他端側に向けて進行しながら、マルチフィルムＳの一端側から該マルチフィルムＳを順次回収するように構成されている。本例では、マルチフィルムＳは、図２に示すように、略カマボコ型に形成された畝Ｕの表面（畝Ｕの上面と、該上面から連続する両側面）全体を覆うように敷設されているが、これに限定されず、例えば、畝Ｕの上面と、該上面から連続する両側面の上部とを覆うように敷設されていてもよい。なお、本書の各図において、矢印Ｆは機体前側を指し示している。
【００１０】
芋類収穫機２は、畝Ｕに沿って走行可能に構成されており、その前端側に取り付けられた芋掘取コンベア装置１２と、芋掘取コンベア装置１２のコンベア前側部に取り付けられた畝追従装置１３とを備えている。畝追従装置１３は、畝Ｕの側面に周面が当接し、芋類収穫機２の進行に伴って転動するように畝Ｕの両側にそれぞれ配設された一対の畝ガイドローラ１４を備えている。
【００１１】
シート回収装置１は、該畝Ｕに張られたマルチフィルムＳを剥ぎ上げるために、畝上方において畝幅方向に延びる軸２１を中心に回転自在に支持されたシート送りローラ２２と、マルチフィルムＳにテンションを付与するために、該シート送りローラ２２の後斜め下方に設けられたテンションローラ２３と、該シート送りローラ２２の上側を経由したマルチフィルムＳを巻取ドラム２４に巻き取ることにより引き込んで回収するシート回収部２５とを備えている。
【００１２】
シート送りローラ２２は、本例では、算盤の珠状に形成されており、即ち、幅方向の両端部２２ｂの径よりも幅方向の略中央部２２ａの径が相対的に大きくなるように形成されている。シート送りローラ２２の両側には、マルチフィルムＳの幅方向への位置ズレを防止するために、フランジ状に形成されたズレ防止部材２２ｃが設けられている。シート送りローラ２２の周面の材質としては、特に限定されないが、樹脂からなるものを例示する。シート送りローラ２２の形状としては、これに限定されず、例えば、図３（ａ）に示すように幅方向（軸２１の軸長さ方向）に延びる円柱部２６と、該円柱部２６における前記幅方向の略中央部に突設されたフランジ部２７とにより形成された態様や、図３（ｂ）に示すように楕球状に形成された態様等を例示する。
【００１３】
次に、本シート回収装置１の動作を説明する。まず、準備として、畝ガイドローラ１４の後方において、畝Ｕに敷設されたマルチフィルムＳの端を数ｍ分を剥がし、シート送りローラ２２の上側、テンションローラ２３の下側の順に通し、巻取ドラム２４に固定しておく。そして、芋類収穫機２とともにシート回収装置１を作動させると、シート回収部２５が作動して巻取ドラム２４が回転し、芋類収穫機２の進行に伴って、畝ガイドローラ１４の直後よりマルチフィルムＳを略真上に引き上げて巻取ドラム２４へと回収するようになっている。このとき、シート送りローラ２２は、幅方向の両端部２２ｂの径よりも幅方向の略中央部２２ａの径が相対的に大きくなるように形成されているので、従来のシート回収装置において生じていたマルチフィルムＳの幅方向略中央部Ｓａの弛みが、シート送りローラ２２の幅方向略中央部２２ａのふくらみによって付与される張りにより大幅に解消される。
【００１４】
以上のように構成された本例のシート回収装置１によれば、シート送りローラ２２は、幅方向の両端部２２ｂの径よりも幅方向の略中央部２２ａの径が相対的に大きくなるように形成されているので、畝ＵからマルチフィルムＳを剥ぎ上げるときに該マルチフィルムＳの幅方向略中央部Ｓａに弛みが生じることを防止することができる。このため、該弛みによる不具合の発生を抑制することができ、スムーズな回収作業を行うことができる。
【００１５】
また、本例では、芋類収穫機２の畝ガイドローラ１４の直後よりマルチフィルムＳを略真上に引き上げて巻取ドラム２４へと回収するように構成されている。これにより、畝ガイドローラ１４の後方に位置する芋掘取コンベア装置１２の堀先１２ａによりマルチフィルムＳが敷設されている畝Ｕを崩した後にマルチフィルムＳを引き剥がすようになっており、マルチフィルムＳの縁部の埋込深さや、傾斜地等圃場条件の影響を受けることなく、マルチフィルムＳの回収が非常にスムーズに行える。このため、回収途中にマルチフィルムＳが切断する等の不具合を防止することができる。
【００１６】
なお、本発明は前記実施形態に限定されるものではなく、例えば以下のように、発明の趣旨から逸脱しない範囲で適宜変更して具体化することもできる。
（１）圃場を走行可能に構成された機体に本発明のシート回収装置１を搭載することにより、シート回収専用機として構成すること。
（２）シート送りローラ２２をブラシローラにすること。
【図面の簡単な説明】
【００１７】
【図１】本発明を具体化した一実施形態に係るシート回収装置の側面図である。
【図２】図１のＩＩ矢視図である。
【図３】同シート回収装置のシート送りローラの変更例を示す正面図である。
【図４】従来のシート回収装置の側面図である。
【図５】図４のＶ矢視図である。
【符号の説明】
【００１８】
１    シート回収装置
２    芋類収穫機
１２    芋掘取コンベア装置
１３    畝追従装置
１４    畝ガイドローラ
２１    軸
２２    シート送りローラ
２２ａ  略中央部
２２ｂ  端部
２３    テンションローラ
２４    巻取ドラム
２５    シート回収部
２６    円柱部
２７    フランジ部
Ｓ    マルチフィルム
Ｓａ  幅方向略中央部
Ｓｂ  幅方向両端部
Ｒ    弛み
Ｕ    畝
【図１】
2006158256.tif 000003
【図２】
2006158256.tif 000004
【図３】
2006158256.tif 000005
【図４】
2006158256.tif 000006
【図５】
2006158256.tif 000007